(57)【特許請求の範囲】
【請求項１】
加熱焼成され、内周面に雌ネジ部を備えた竿体であって、
強化繊維を有する内層と、該内層の外側に位置し、強化繊維を有するメイン層とを備え、
雌ネジ部は成形により形成されていて、該雌ネジ部の山部と谷部に対応して内層は径方向に凹凸変形しており、
メイン層と内層との間であって雌ネジ部の山部に対応した箇所に樹脂溜まり部が形成されており、
内層は、長手方向に強化繊維が引き揃えられたテープ状のプリプレグが、雌ネジ部の螺旋方向と同じ方向であって且つ雌ネジ部のネジピッチと同じ巻回ピッチで螺旋状に巻回されたものであることを特徴とする竿体。
【請求項２】
加熱焼成され、内周面に雌ネジ部を備えた竿体であって、
強化繊維を有する内層と、該内層の外側に位置し、強化繊維を有するメイン層とを備え、
雌ネジ部は成形により形成されていて、該雌ネジ部の山部と谷部に対応して内層は径方向に凹凸変形しており、
メイン層と内層との間であって雌ネジ部の山部に対応した箇所に樹脂溜まり部が形成されており、
雌ネジ部に隣接した竿先側の位置には、竿体の勾配よりも大きな勾配でその厚さが竿先側に向けて徐々に薄くなったテーパー層が内層の内側に形成されていることを特徴とする竿体。
【請求項３】
メイン層と内層との間には、雌ネジ部の山部においては厚く谷部においては薄くなった樹脂充填層が形成され、該樹脂充填層の厚肉部が前記樹脂溜まり部であり、
樹脂充填層は、厚さ一定の基材層とその内側に位置して厚い箇所と薄い箇所とを有する樹脂層とで構成され、
樹脂層は熱硬化性樹脂であり、基材層は樹脂層を構成する熱硬化性樹脂を含浸させるための基材シートである請求項１又は２記載の竿体。
【請求項４】
樹脂充填層は竿体の全長のうち雌ネジ部が形成された領域のみに形成されている請求項３記載の竿体。
【請求項５】
請求項１乃至４の何れかに記載の竿体の製造方法であって、
内層を構成するためのプリプレグとメイン層を構成するためのプリプレグとの間に、内層のプリプレグの樹脂含有率よりも高い樹脂含有率を有するシートを巻き付けて加熱焼成することを特徴とする竿体の製造方法。
【発明の詳細な説明】
【技術分野】
【０００１】
本発明は、内周面に雌ネジ部が形成された竿体とその製造方法に関する。
【背景技術】
【０００２】
例えば、尻栓付きの釣竿は、竿本体の竿尻部の内周面に雌ネジ部が形成され、該雌ネジ部に尻栓が螺着される構成である。そして、竿本体の雌ネジ部はネジ切りと呼ばれるように焼成後の竿本体の内周面を刃物で螺旋状にカットしていくことにより形成されていた。
【０００３】
しかしながら、ネジ切りによって雌ネジ部を形成すると、竿本体を構成している強化繊維が切断されることになるため雌ネジ部における強度が低下するという問題がある。
【０００４】
そこで本発明者らは雌ネジ部をネジ切りではなく成形によって形成することを試みた。即ち、竿本体を加熱焼成するためのマンドレルに、雌ネジ部を形成するための雄ネジ部を設けておき、竿本体を加熱焼成する際に雌ネジ部を成形によって同時に形成した。しかしながら、雌ネジ部の形状自体は形成されたものの、雌ネジ部の特に山部においてボイドが発生したりネジ山が欠落する等の問題が生じた。ボイドは内部に発生するものであるが、それによってネジ山が欠落するなど雌ネジ部が強度不足となるため、その発生を防止しなければならない。そして、かかる問題は、釣竿の竿本体の他、玉ノ柄にも起こりうることであって、加熱焼成により形成されてその内周面に雌ネジ部を有する竿体全般に生じうる。
【先行技術文献】
【特許文献】
【０００５】
【特許文献１】特開平７−５９４９０号公報
【発明の概要】
【発明が解決しようとする課題】
【０００６】
それゆえに本発明は上記従来の問題点に鑑みてなされ、雌ネジ部の強度低下を防止できる竿体とその製造方法を提供することを課題とする。
【課題を解決するための手段】
【０００７】
本発明は上記課題を解決すべくなされたものであって、本発明に係る竿体は、加熱焼成され、内周面に雌ネジ部を備えた竿体であって、強化繊維を有する内層と、該内層の外側に位置し、強化繊維を有するメイン層とを備え、雌ネジ部は成形により形成されていて、該雌ネジ部の山部と谷部に対応して内層は径方向に凹凸変形しており、メイン層と内層との間であって雌ネジ部の山部に対応した箇所に樹脂溜まり部が形成されており、内層は、長手方向に強化繊維が引き揃えられたテープ状のプリプレグが、雌ネジ部の螺旋方向と同じ方向であって且つ雌ネジ部のネジピッチと同じ巻回ピッチで螺旋状に巻回されたものであることを特徴とする。
【０００８】
該構成の竿体にあっては、雌ネジ部が従来のようなネジ切りによって形成されているのではなく加熱焼成時に成形によって形成されているので、強化繊維が切断されることがない。そして、メイン層と内層との間であって雌ネジ部の山部に対応した箇所に樹脂溜まり部が形成されているので、雌ネジ部の山部におけるボイドの発生が防止される。また、内層は、長手方向に強化繊維が引き揃えられたテープ状のプリプレグが、雌ネジ部の螺旋方向と同じ方向であって且つ雌ネジ部のネジピッチと同じピッチで螺旋状に巻回されたものであるので、成形によって雌ネジ部の山部と谷部を形成する際に、内層を構成するテープ状のプリプレグの強化繊維が雌ネジ部の山部と谷部に対応して容易に径方向に凹凸変形でき、高い精度で雌ネジ部を形成することができると共に、ボイドの発生が防止されて雌ネジ部の強度が向上する。また、テープ状のプリプレグを雌ネジ部の螺旋方向とは逆方向に螺旋状に巻回して内層を形成する場合に比して、雌ネジ部の山部と谷部に対応して内層がより一層スムーズに径方向に凹凸変形することになり、雌ネジ部の山部におけるボイドがより一層確実に防止される。
【０００９】
特に、メイン層と内層との間には、雌ネジ部の山部においては厚く谷部においては薄くなった樹脂充填層が形成され、該樹脂充填層の厚肉部が前記樹脂溜まり部であり、樹脂充填層は、厚さ一定の基材層とその内側に位置して厚い箇所と薄い箇所とを有する樹脂層とで構成され、樹脂層は熱硬化性樹脂であり、基材層は樹脂層を構成する熱硬化性樹脂を含浸させるための基材シートであることが好ましい。メイン層と内層との間に樹脂充填層を設けることでその厚肉部から容易に樹脂溜まり部を形成することができ、雌ネジ部の山部におけるボイドの発生をより一層確実に防止できる。
【００１０】
更に、樹脂充填層は竿体の全長のうち雌ネジ部が形成された領域のみに形成されていることが好ましい。雌ネジ部を形成した領域のみに形成することによって過度の重量増加を防止することができる。
【００１１】
また、本発明に係る竿体は、加熱焼成され、内周面に雌ネジ部を備えた竿体であって、強化繊維を有する内層と、該内層の外側に位置し、強化繊維を有するメイン層とを備え、雌ネジ部は成形により形成されていて、該雌ネジ部の山部と谷部に対応して内層は径方向に凹凸変形しており、メイン層と内層との間であって雌ネジ部の山部に対応した箇所に樹脂溜まり部が形成されており、雌ネジ部に隣接した竿先側の位置には、竿体の勾配よりも大きな勾配でその厚さが竿先側に向けて徐々に薄くなったテーパー層が内層の内側に形成されていることを特徴とする。
【００１２】
該構成の竿体にあっては、雌ネジ部が従来のようなネジ切りによって形成されているのではなく加熱焼成時に成形によって形成されているので、強化繊維が切断されることがない。そして、メイン層と内層との間であって雌ネジ部の山部に対応した箇所に樹脂溜まり部が形成されているので、雌ネジ部の山部におけるボイドの発生が防止される。また、テーパー層を設けることにより雌ネジ部の竿先側の端部において竿体の径が急激に変化することを防止することができ、その端部における応力集中の発生を防止することができる。尚、竿体が竿先に向けて細くならずに勾配０のストレート形状である場合も含まれる。
【００１４】
また本発明に係る竿体の製造方法は、内層を構成するためのプリプレグとメイン層を構成するためのプリプレグとの間に、内層のプリプレグの樹脂含有率よりも高い樹脂含有率を有するシートを巻き付けて加熱焼成することを特徴とする。
【００１５】
該製造方法にあっては、内層のプリプレグの樹脂含有率よりも高い樹脂含有率を有するシートを、内層のプリプレグとメイン層のプリプレグとの間に巻回することにより、加熱焼成時にメイン層と内層との間にシートの樹脂が充満することになって樹脂溜まり部が確実に形成され、雌ネジ部の山部におけるボイドが防止される。
【発明の効果】
【００１６】
以上のように、メイン層と内層との間の樹脂溜まり部によってボイドのない雌ネジ部を成形によって形成することができ、雌ネジ部において高い強度を確保することができる。
【図面の簡単な説明】
【００１７】
【図１】本発明の一実施形態における竿体の要部を示す断面図。
【図２】同実施形態の竿体の雌ネジ部を示す拡大断面図。
【図３】同実施形態の竿体の要部を示す拡大断面図。
【図４】同実施形態の竿体の製造方法を示す正面図。
【図５】同実施形態の竿体の製造途中の状態を示す要部断面図。
【発明を実施するための形態】
【００１８】
以下、本発明の一実施形態に係る釣竿について図１〜図３を参酌しつつ説明する。図１に示すように、本実施形態における釣竿は、竿体としての竿本体１の竿尻部（後端部）の内周面に雌ネジ部２が形成され、該雌ネジ部２に尻栓３が螺着された尻栓付き釣竿である。尻栓３は、先端部外周面に雄ネジ部４ａが形成された金属製の尻栓本体４と、該尻栓本体４の先端側に嵌め込まれたゴムや樹脂からなる座部材５と、尻栓本体４の後端面に装着されたゴムや樹脂からなるカバー体６とから構成される。尚、振り出し式の釣竿の場合には、図１に示す竿本体１は元竿となり、該元竿に収納される元上竿（図示省略）の後端部が座部材５に当接する。
【００１９】
竿本体１はプリプレグを巻回して加熱焼成されて形成された複数の層から構成されており、図２及び図３に示すように、内面側から順に、内層１０とメイン層１１と外層１２とを備えている。内層１０は、テープ状のプリプレグを螺旋状に巻回することにより形成され、その巻回方向は雌ネジ部２の螺旋方向と同一の方向である。テープ状のプリプレグは、その長手方向に強化繊維としてのカーボン繊維が引き揃えられたものであり、従って、内層１０の強化繊維は周方向に沿っている。内層１０を構成するプリプレグは、カーボン繊維にエポキシ樹脂等の熱硬化性樹脂を含浸させたものであるが、その熱硬化性樹脂の樹脂含有率は例えば３０％程度である。
【００２０】
メイン層１１は、メインパターンとも称され、強化繊維としてのカーボン繊維が竿本体１の軸線方向に引き揃えられたプリプレグを巻回することによって形成されている。該メイン層１１を構成するプリプレグは、樹脂含有率が内層１０のそれよりも小さく、例えば２０％程度である。尚、強化繊維は軸線方向に対して傾斜していてもよい。
【００２１】
外層１２は、内層１０と同様のテープ状のプリプレグを螺旋状に巻回することにより形成されている。従って、強化繊維としてのカーボン繊維は周方向に沿っている。テープ状のプリプレグの巻回方向は、内層１０と同じであってもよいが、内層１０とは逆の方向とすることが好ましい。内層１０と外層１２の螺旋方向が逆向きとなることで内層１０のカーボン繊維と外層１２のカーボン繊維がメイン層１１を介してＸ状に交差することになり、特に竿本体１の捻れの抑制に効果が大きい。該外層１２を構成するプリプレグは、内層１０のプリプレグと同様の仕様であってよい。
【００２２】
このような内層１０とメイン層１１と外層１２が竿本体１の全長に亘って設けられているのであるが、雌ネジ部２が形成された領域近傍は他の領域とは異なる層構造となっている。即ち、雌ネジ部２は成形によって形成されているものであるため、雌ネジ部２の形成領域において最も内側に位置する内層１０は、雌ネジ部２の形成領域においては図２に示すように径方向に凹凸変形した形状となっている。つまり、雌ネジ部２の山部２ａにおいては径方向内側に突出し、雌ネジ部２の谷部２ｂにおいては逆に径方向外側に突出した形状となっている。内層１０は、雌ネジ部２の形成領域以外の領域においては径方向に凹凸のほとんどない形状であり、雌ネジ部２の形成領域のみにおいて径方向に凹凸変形している。また、メイン層１１は、雌ネジ部２の形成領域においても内層１０のように凹凸変形しておらず、図２のように雌ネジ部２の山部２ａにおいて若干径方向外側に膨出し谷部２ｂにおいて若干径方向内側に凹状に湾曲するように軸線方向にうねった形状となっている。
【００２３】
そして、雌ネジ部２の形成領域には、メイン層１１と内層１０との間であって雌ネジ部２の山部２ａに対応した箇所に樹脂溜まり部２０が形成されている。該樹脂溜まり部２０は、メイン層１１や内層１０のプリプレグに含浸された熱硬化性樹脂と同様の熱硬化性樹脂が集まって形成されたものであり、雌ネジ部２の全ての山部２ａに対応した箇所にそれぞれ形成される一方で雌ネジ部２の谷部２ｂに対応した箇所には形成されていない。即ち、樹脂溜まり部２０は雌ネジ部２に対応して螺旋状に形成されており、内層１０の外周面における凸条１０ａと凸条１０ａとの間の凹溝１０ｂを埋めるように形成されている。
【００２４】
具体的には、メイン層１１と内層１０との間には、雌ネジ部２の形成領域のみに樹脂充填層１３が形成されている。該樹脂充填層１３には、雌ネジ部２の山部２ａにおいてはその厚さが厚くなった厚肉部１３ａが形成され、雌ネジ部２の谷部２ｂにおいてはその厚さが薄くなった薄肉部１３ｂが形成されており、この厚肉部１３ａと薄肉部１３ｂは軸線方向に交互に形成されている。厚肉部１３ａと薄肉部１３ｂが雌ネジ部２の山部２ａと谷部２ｂに対応して形成されていることから、厚肉部１３ａと薄肉部１３ｂも螺旋状に形成されている。厚肉部１３ａは、薄肉部１３ｂよりも径方向内側に突出することによりその厚さが厚く形成されており、該厚肉部１３ａから上述の樹脂溜まり部２０が構成されている。
【００２５】
より詳細には、樹脂充填層１３は、樹脂層１４と基材層１５とから構成され、樹脂層１４は基材層１５の内側に位置している。基材層１５の厚さは一定であり、従って、樹脂層１４に厚い箇所と薄い箇所が形成されることによって樹脂充填層１３に厚肉部１３ａと薄肉部１３ｂが形成されている。樹脂層１４は、雌ネジ部２の谷部２ｂに対応した位置、即ち、内層１０の外周面の凸条１０ａの外側においては薄く、ほとんど存在しないこともある。樹脂層１４は、内層１０を構成するプリプレグに含浸された熱硬化性樹脂と同様の熱硬化性樹脂から構成され、基材層１５はその熱硬化性樹脂を含浸させる対象となる基材シートであって例えば不織布から構成されている。この樹脂充填層１３は、後述のように熱硬化性樹脂を高い比率で含有した高樹脂含有シート４１を、メイン層１１と内層１０との間において雌ネジ部２が形成された領域のみに局所的にサンドイッチすることにより形成される。
【００２６】
また、図３に示すように、雌ネジ部２の竿先側（先端側）には隣接してテーパ層１６が形成されている。該テーパ層１６は、内層１０の更に内側に形成されていて、その竿本体１の軸線方向に沿った長さは適宜設定可能であるが、例えば雌ネジ部２の長さと略同じ、あるいは、雌ネジ部２の長さよりも短い長さである。該テーパ層１６は、樹脂充填層１３の竿先側の端部を基点としてそこから竿先側に向けて徐々にその厚さが薄くなっていくように形成されており、その厚さは竿本体１の径の変化率である勾配よりも大きい勾配で竿先側に向けて減少している。該テーパ層１６は、カーボン繊維やガラス繊維等の各種の強化繊維を有するプリプレグから形成されている。
【００２７】
以上のように構成された竿本体１は、図４に示すようにマンドレル３０にプリプレグを巻回して加熱焼成することにより形成される。具体的には、雌ネジ部２を形成するための雄ネジ部３２が形成されたネジ成形用筒体３１をマンドレル３０の基端部側に装着する。ネジ成形用筒体３１は、外周面に雄ネジ部３２が形成されたネジ筒部３３と、該ネジ筒部３３の後側に位置してネジ筒部３３よりも一段大径となったチャック用筒部３４とから構成されている。
【００２８】
まずマンドレル３０のネジ成形用筒体３１の竿先側に隣接した位置にテーパ層１６を形成するためのプリプレグ４０を巻回する。該プリプレグ４０は竿先側に向かって幅が狭くなった形状のものを使用する。図５にテーパ層１６を形成するためのプリプレグ４０をマンドレル３０に巻回した後の状態を断面図で示している、このようにマンドレル３０の周面にネジ成形用筒体３１を装着することによりネジ成形用筒体３１の先端側の端面において段差３５が生じることになる。該段差３５は０．１ｍｍ〜１ｍｍ程度であるが、この段差３５を埋めるようにプリプレグ４０を巻回する。
【００２９】
次に、内層１０を形成するための図示しないテープ状のプリプレグを雌ネジ部２の螺旋方向と同一方向に螺旋状に隙間なく密に巻回する。該テープ状のプリプレグは竿本体１の全長に亘って巻回する。尚、テープ状のプリプレグの巻回ピッチは、雌ネジ部２のネジピッチと同じピッチにすることが好ましく、全長に亘って雌ネジ部２のネジピッチと同じにする他、雌ネジ部２を形成する領域のみネジピッチと同じピッチとしてもよい。
【００３０】
続いて、雌ネジ部２を形成する領域のみに高樹脂含有シート４１を巻回する。該高樹脂含有シート４１は例えば矩形に形成する。該高樹脂含有シート４１としては、内層１０を構成するプリプレグの樹脂含有率よりも高い樹脂含有率のシートを使用する。具体的にはポリエステル樹脂やエポキシ樹脂等の熱硬化性樹脂を６０％以上の樹脂含有率で含浸させたシートを使用することが好ましい。その厚さとしては例えば０．３〜０．５ｍｍ程度のものが好ましい。より具体的には、ポリエステル系繊維から形成した不織布に、ポリエステル樹脂等の熱硬化性樹脂を６０％以上の樹脂含有率で含浸させた不織布プリプレグを、高樹脂含有シート４１として使用することが好ましい。この不織布プリプレグとしては、例えば、（株）日本バイリーン社製の製品名：ＯＬ−３１０（樹脂含有率６８％）等を使用できる。
【００３１】
そして、その外側にメイン層１１を形成するためのプリプレグ４２を巻回し、その外側に外層１２を形成するためのテープ状のプリプレグ（図示省略）を全長に亘って螺旋状に巻回する。該外層１２のテープ状のプリプレグも内層１０のテープ状のプリプレグの場合と同様に隙間なく密に巻回するが、その巻回方向は内層１０とは逆向きとすることが好ましい。尚、テープ状のプリプレグの外側あるいは内側に各種形状のシート状のプリプレグを巻回してもよい。最後に外側にポリエチレンテレフタラート（ＰＥＴ）やポリプロピレン（ＰＰ）からなる成形用テープ（図示省略）を巻回して竿素材を形成する。
【００３２】
このようにして得られた竿素材を加熱焼成して竿本体１を形成するのであるが、その際にネジ成形用筒体３１の雄ネジ部３２によって内層１０のプリプレグが径方向に凹凸変形して雌ネジ部２の山部２ａと谷部２ｂが形成される。加熱焼成後、竿本体１からマンドレル３０を抜き取る。その際、まずマンドレル３０（マンドレル本体）のみを抜き取ってネジ成形用筒体３１は抜き取らずにそのまま残しておき、その後、チャック用筒部３４を掴んで回転させながらネジ筒部３３を竿本体１から引き抜いていくと、竿本体１の内周面に雌ネジ部２が形成される。そして、竿本体１から成形用テープを剥離して両端部を切り落として所定の長さとしたうえで表面を研磨処理等する。
【００３３】
以上のようにして竿本体１の内周面には雌ネジ部２が成形によって形成されることになるが、内層１０のカーボン繊維が周方向に沿っているので内層１０が容易に径方向に凹凸変形しやすく、特に、テープ状のプリプレグを雌ネジ部２の螺旋方向と同一方向に螺旋状に巻回し、しかも、その巻回ピッチを雌ネジ部２のネジピッチに合わせているので、内層１０が雌ネジ部２の形状に合わせてスムーズに凹凸変形できる。このように内層１０が径方向に凹凸変形する結果その外周面には凸条１０ａと凹溝１０ｂが交互に形成されることになるが、内層１０の外周面の凹溝１０ｂには熱硬化性樹脂が集まって樹脂溜まり部２０が形成される。内層１０のプリプレグやメイン層１１のプリプレグ４２、外層１２のプリプレグにはそれぞれ熱硬化性樹脂が含有しているが、釣竿の軽量化のためにその樹脂含有率は小さく、従って、それらのプリプレグから熱硬化性樹脂が内層１０の外周面の凹溝１０ｂのところに集まりにくい。しかしながら、内層１０とメイン層１１との間に高樹脂含有シート４１を介在させているので、その高樹脂含有シート４１の熱硬化性樹脂が内層１０の外周面の凹溝１０ｂに集まって該凹溝１０ｂが熱硬化性樹脂で充満されることになる。即ち、高樹脂含有シート４１はそれ自体樹脂量が多いうえに、内層１０の外周面の凸条１０ａのところから凹溝１０ｂのところへと熱硬化性樹脂が流れてくるので、内層１０の外周面の凹溝１０ｂが熱硬化性樹脂で容易に充満されることになるのである。その結果、高樹脂含有シート４１から形成される樹脂充填層１３には厚肉部１３ａと薄肉部１３ｂが形成されることになる。このように高樹脂含有シート４１を介在させて厚肉部１３ａと薄肉部１３ｂとを有する樹脂充填層１３を形成することにより、内層１０の外周面の凹溝１０ｂのところに容易に樹脂溜まり部２０を形成することができ、その結果、ボイドの発生やネジ山の欠落を防止することができる。
【００３４】
また、高樹脂含有シート４１を雌ネジ部２を形成する領域のみに介在させているので、それ以外の領域まで介在させる場合に比して重量増加を抑制することができ、竿本体１の軽量化とのバランスを図ることができる。
【００３５】
一方、メイン層１１のカーボン繊維は軸線方向に沿っているので内層１０が径方向に凹凸変形してもそれにはほとんど追従せず多少湾曲する程度に留まる。そのためメイン層１１による竿本体１の剛性や強度が設計値から低下することなく確保され、また必要以上に竿本体１の全厚が増加するということもない。
【００３６】
更に、ネジ成形用筒体３１の装着によってマンドレル３０の周面に形成された段差３５をテーパ層１６の形成によって解消しているので、雌ネジ部２の竿先側の端部において竿本体１に大きな応力集中が生じることを防止することができる。
【００３７】
尚、本実施形態では、樹脂充填層１３を形成するための高樹脂含有シート４１として不織布プリプレグを使用したが、例えば強化繊維としてガラス繊維を使用した樹脂含有率が４０％程度のプリプレグを使用してもよい。
【００３８】
尚、内層１０やメイン層１１、外層１２の強化繊維はカーボン繊維の他に、ガラス繊維や、アラミド繊維、アルミナ繊維等であってもよい。
【００３９】
また、高樹脂含有シート４１を内層１０とメイン層１１との間に介在させたが、他の層間に介在させてもよい。但し、高樹脂含有シート４１を内層１０とメイン層１１との間に介在させることにより、他の層間、例えばメイン層１１と外層１２との間に高樹脂含有シート４１を介在させる場合に比して樹脂の流れがスムーズとなり、より一層確実に樹脂溜まり部２０を形成できてボイドの発生を確実に防止できる。
【００４０】
また、上記実施形態では、竿体が釣竿の竿本体１である場合について説明したが、玉ノ柄であってもよく、内周面に雌ネジ部２が形成される竿体全般に適用できる。
【符号の説明】
【００４１】
１    竿本体
２    雌ネジ部
２ａ  山部
２ｂ  谷部
３    尻栓
４    尻栓本体
４ａ  雄ネジ部
５    座部材
６    カバー体
１０    内層
１０ａ  凸条
１０ｂ  凹溝
１１    メイン層
１２    外層
１３    樹脂充填層
１３ａ  厚肉部
１３ｂ  薄肉部
１４    樹脂層
１５    基材層
１６    テーパ層
２０    樹脂溜まり部
３０    マンドレル
３１    ネジ成形用筒体
３２    雄ネジ部
３３    ネジ筒部
３４    チャック用筒部
３５    段差
４０    プリプレグ
４１    高樹脂含有シート
４２    プリプレグ
【図１】
0005876262.tif 000002
【図２】
0005876262.tif 000003
【図３】
0005876262.tif 000004
【図４】
0005876262.tif 000005
【図５】
0005876262.tif 000006